(57)【要約】      （修正有）【課題】ベールの姿勢切り換え動作に伴って音を発生させる発音機構を良好な発音状態でリールの大型化を招くことなく設置できる魚釣用スピニングリールを提供する。【解決手段】魚釣用スピニングリールは、釣糸巻き取り位置と釣糸放出位置との間でのベール支持部材１２Ａの回動動作に連動する連動部材４１と、ロータのアーム部に取着されてこのアーム部の外表面を形成するカバー部材３２と、ベール支持部材１２Ａの回動によるベールの姿勢切り換えに伴って音を発生させる発音機構７０とを有し、発音機構７０がカバー部材３２と連動部材４１との対向部間に設けられる。【選択図】図３
2020028268.tif 000002
【特許請求の範囲】
【請求項１】
ハンドル操作に連動して回転するようにリール本体に設けられるロータと、釣糸が巻回されるとともに、ハンドル操作に連動して往復動するようにリール本体に設けられるスプールと、前記スプールへと延びる釣糸を拾い上げるためのベールを支持して前記ロータのアーム部に取り付けられるとともに、釣糸巻き取り位置と釣糸放出位置との間で回動することにより前記ベールの姿勢を切り換えるベール支持部材とを備える魚釣用スピニングリールにおいて、
前記釣糸巻き取り位置と前記釣糸放出位置との間での前記ベール支持部材の回動動作に連動する連動部材と、前記ロータの前記アーム部に取着されてこのアーム部の外表面を形成するカバー部材と、前記ベール支持部材の回動による前記ベールの姿勢切り換えに伴って音を発生させる発音機構とを有し、前記発音機構が前記カバー部材と前記連動部材との対向部間に設けられることを特徴とする魚釣用スピニングリール。
【請求項２】
前記発音機構は、前記連動部材及び前記カバー部材の一方に設けられて弾性的に付勢される発音体が前記連動部材及び前記カバー部材の他方に設けられる係合部に対して弾発的に係脱されることによって音を発生させることを特徴とする請求項１に記載の魚釣用スピニングリール。
【請求項３】
前記連動部材は、前記ベール支持部材を前記釣糸放出位置から前記釣糸巻き取り位置へと復帰させる反転機構を構成して前記ベール支持部材に連結されるシャフトであることを特徴とする請求項１又は２に記載の魚釣用スピニングリール。
【請求項４】
前記連動部材は、前記ベール支持部材を前記釣糸放出位置から前記釣糸巻き取り位置へと復帰させる反転機構を構成して前記アーム部に揺動自在に取り付けられるとともに前記ベール支持部材に連結されるシャフトを軸方向に摺動自在に支持するガイドであることを特徴とする請求項１又は２に記載の魚釣用スピニングリール。
【請求項５】
前記連動部材が前記ベール支持部材自体であることを特徴とする請求項１又は２に記載の魚釣用スピニングリール。
【発明の詳細な説明】
【技術分野】
【０００１】
本発明は、魚釣用スピニングリールに関し、特に、ベールの姿勢切り換え動作に伴って音を発生させる発音機構を有する魚釣用スピニングリールに関する。
【背景技術】
【０００２】
魚釣用スピニングリールは、ハンドルの巻き取り回転操作によって連動回転するロータと、ハンドルの巻き取り回転操作に伴って前後動するスプールとを備えた構造を成しており、前記ロータは、該ロータの回転に伴って前記スプールの周りを回転する一対の支持アームを有する。また、これらの一対の支持アームの前部には、ベール支持部材が振り分けバネによって反転可能に支持されており、一方のベール支持部材には釣糸案内部（ラインローラ）が装着されている。そして、これらのベール支持部材にはそれぞれ釣糸をピックアップするベールの基端部が取り付けられている。
【０００３】
このような構成の魚釣用スピニングリールによれば、ベール（ベール支持部材）を釣糸巻き取り位置から釣糸放出位置へと起こし（姿勢を切り換え）、その状態で釣竿を勢い良く振り下ろすことで、スプールから釣糸を解放して仕掛けの投擲を行なうことができる。そして、仕掛けが着水した後は、ベール（ベール支持部材）を復帰させる（ハンドルを釣糸巻き取り方向へ回転操作する、又は、手動によりベールを釣糸巻き取り位置へと復帰させる操作を行なう）ことにより、釣糸をベールにより拾い上げて釣糸案内部に移行させ、スプールに釣糸を巻き取る釣糸巻き取り状態へと移行させることができる。
【０００４】
また、釣糸の巻き取り及び放出（繰り出し）のためにベールの姿勢を切り換える必要がある魚釣用スピニングリールでは、特許文献１に開示されるように、ベールの姿勢切り換え動作に伴って音を発生させてベール姿勢切り換えを報知する発音報知手段を有するものがある。
【先行技術文献】
【特許文献】
【０００５】
【特許文献１】特開平８−２９８９０２号公報
【発明の概要】
【発明が解決しようとする課題】
【０００６】
ところで、特許文献１に開示される発音報知手段は、ロータ内の底部、支持アーム内、或いは、ベール支持部材と支持アームとの間など、リールの外表面から離れたリールの内側空間内に位置され、しかも、ロータ（支持アーム）やベール支持部材といった比較的肉厚の部材に対して設けられているため、発音報知手段により発生する音がリール内にこもって響き難く、発音性が悪いという問題がある。
【０００７】
また、このような構成では、リール構成部品が密に配置されるリール内側領域に発音報知手段を付加する必要があるため、発音報知手段のための別個の設置スペースをリール内に確保しなければならず、そのため、リールの大型化を招く虞もある。
【０００８】
本発明は、上記した問題に着目してなされたものであり、ベールの姿勢切り換え動作に伴って音を発生させる発音機構を良好な発音状態でリールの大型化を招くことなく設置できる魚釣用スピニングリールを提供することを目的とする。
【課題を解決するための手段】
【０００９】
上記した目的を達成するために、本発明は、ハンドル操作に連動して回転するようにリール本体に設けられるロータと、釣糸が巻回されるとともに、ハンドル操作に連動して往復動するようにリール本体に設けられるスプールと、前記スプールへと延びる釣糸を拾い上げるためのベールを支持して前記ロータのアーム部に取り付けられるとともに、釣糸巻き取り位置と釣糸放出位置との間で回動することにより前記ベールの姿勢を切り換えるベール支持部材とを備える魚釣用スピニングリールにおいて、前記釣糸巻き取り位置と前記釣糸放出位置との間での前記ベール支持部材の回動動作に連動する連動部材と、前記ロータの前記アーム部に取着されてこのアーム部の外表面を形成するカバー部材と、前記ベール支持部材の回動による前記ベールの姿勢切り換えに伴って音を発生させる発音機構とを有し、前記発音機構が前記カバー部材と前記連動部材との対向部間に設けられることを特徴とする。
【００１０】
上記構成の魚釣用スピニングリールによれば、ベールの姿勢切り換えに伴って音を発生させる発音機構が設けられているため、ベールの姿勢切り換えを音によってリール使用者（釣人）に報知でき、したがって、リール使用者は、ベールを目視しなくてもベールの姿勢切り換えを確実に把握できる。また、上記構成の魚釣用スピニングリールによれば、そのような発音機構がロータアーム部の外表面を形成するカバー部材とベール支持部材の回動動作に連動する連動部材との対向部間に設けられるため、必然的に、発音機構がリールの内側空間内よりもリール外表面に近い部位に位置されるとともに、一般に比較的薄肉で広い面を有する外装体を形成し得るカバー部材を通じて音をリール外部へと発することになるため、音がリール外部に響き易く、良好な発音状態を確保できる。また、一般に、カバー部材の裏側には反転機構の収容、糸絡み防止や意匠性を考慮して外形形状が設定されて予めデッドスペースが設けられていることが多く、そのため、上記構成によれば、そのようなデットスペースを有効活用して発音機構を設置することも可能になり、リールの大型化を招かないで済む（特に、ロータアーム部の小型化及び軽量化を図ることもできる）。
【００１１】
また、上記構成において、発音機構は、連動部材及びカバー部材の一方に設けられて弾性的に付勢される発音体が連動部材及びカバー部材の他方に設けられる係合部に対して弾発的に係脱されることによって音を発生させることが好ましい。これによれば、弾発効果によって発音強度がより増大し、発音状態を更に良好にできる。この場合、発音体が比較的薄肉で広い面を有するカバー部材に設けられれば、振動し易いカバー部材の作用も相俟って音響効果が更に促進され、より優れた発音性を得ることができる。更にこの場合、カバー部材と発音体とが一体化されたユニットを構成すれば、アーム部に対するカバー部材の取着に伴って同時に発音体がアーム部に組み込まれることになるため、発音機構の組み込みが容易となり、ひいては製造コストを低減することも可能になる。
【００１２】
なお、上記構成において、連動部材は、ベール支持部材を釣糸放出位置から釣糸巻き取り位置へと復帰させる反転機構を構成してベール支持部材に連結されるシャフトであってもよく、或いは、ベール支持部材を釣糸放出位置から釣糸巻き取り位置へと復帰させる反転機構を構成してアーム部に揺動自在に取り付けられるとともにベール支持部材に連結されるシャフトを軸方向に摺動自在に支持するガイドであってもよく、更には、前記ベール支持部材自体であっても構わない。
【発明の効果】
【００１３】
本発明によれば、ベールの姿勢切り換え動作に伴って音を発生させる発音機構を良好な発音状態でリールの大型化を招くことなく設置できる魚釣用スピニングリールが得られる。
【図面の簡単な説明】
【００１４】
【図１】本発明の一実施形態に係る魚釣用スピニングリールの一部断面を伴う概略側面図である。
【図２】図１の魚釣用スピニングリールの要部拡大断面図である。
【図３】（ａ）は、ベール（ベール支持部材）が釣糸巻き取り位置にある場合の反転機構を示すアーム部の断面図、（ｂ）は、（ａ）のＡ−Ａ線に沿う断面図である。
【図４】（ａ）は、ベール（ベール支持部材）が釣糸放出位置にある場合の反転機構を示すアーム部の断面図、（ｂ）は、（ａ）のＢ−Ｂ線に沿う断面図である。
【図５】発音機構の第１の変形例を示し、図３のＣ−Ｃ線に沿う断面に対応する断面図である。
【図６】発音機構の第２の変形例を示し、（ａ）は、発音機構の設置部位の一部断面を有する上面図、（ｂ）は、発音機構の第３の変形例を示す要部拡大断面図である。
【図７】発音機構の第４の変形例を示し、（ａ）は（ｂ）のＦ−Ｆ線方向矢視図、（ｂ）は（ａ）のＤ−Ｄ線に沿う断面図、（ｃ）は（ａ）のＥ−Ｅ線に沿う断面図である。
【発明を実施するための形態】
【００１５】
以下、添付図面を参照しながら、本発明の一実施形態に係る魚釣用スピニングリールについて説明する。なお、以下の説明において、「前」、「後」、「上」、「下」、「左」、及び、「右」は、図１、図３、図４に示される方向を基準とする。
【００１６】
図１に示されるように、本実施形態に係る魚釣用スピニングリール１は、前方に突出するスプール軸８及び駆動軸筒１０を有するリール本体２を備え、リール本体２にはロータ３と釣糸が巻回されるスプール４とが設けられる。この場合、ロータ３は駆動軸筒１０の前端部に固定され、スプール４はスプール軸８の前端に取り付けられる。
【００１７】
リール本体２はハンドル軸５を回転自在に支持しており、ハンドル軸５はリール本体２内を左右方向に延在している。又はンドル軸５の歯車５ａにはドライブギヤ７が噛合しており、ハンドル軸５の回転に伴ってドライブギヤ７が回転するようになっている。なお、ハンドル軸５の端部はリール本体２を貫通してリール本体２の側方に突出しており、この突出したハンドル軸５の端部にハンドル６が取り付けられている。
【００１８】
リール本体２の前側に設けられた筒部２ａ内には、図示しない軸受を介して回転自在に支持された前述の駆動軸筒１０と、該駆動軸筒１０内に挿通された前述のスプール軸８とが設けられている。
【００１９】
駆動軸筒１０の前端部にはロータ３が固定され、駆動軸筒１０の後端にはドライブギヤ７と噛合するピニオンギヤ１１が形成される。このため、ハンドル６を回転操作すると、その回転駆動力がドライブギヤ７及びピニオンギヤ１１を介して駆動軸筒１０に伝達され、駆動軸筒１０と共にロータ３が回転する。
【００２０】
ロータ３は、リール本体２の筒部２ａの外周側に位置する円筒部３０と、一対のアーム部３Ａ，３Ｂとを備えている。各アーム部３Ａ，３Ｂの前端部には、スプール４へと延びる釣糸を拾い上げるためのベール１８とラインローラ（釣糸案内部）１９とを支持するベール支持部材１２Ａ，１２Ｂが回動自在に取り付けられ、これらのベール支持部材１２Ａ，１２Ｂが釣糸巻き取り位置（図３参照）と釣糸放出位置（図４参照）との間で回動することによってベール１８の姿勢が釣糸巻き取り姿勢と釣糸放出姿勢との間で切り換えられるようになっている。
【００２１】
前述したように、スプール軸８の前端には図示しないドラグ機構を介してスプール４が取り付けられている。スプール４は、釣糸が巻回される釣糸巻回胴部４ａと、釣糸巻回胴部４ａの後部に設けられたスカート部４ｂと、釣糸巻回胴部４ａの前側に設けられた前側フランジ４ｃとを有する。
【００２２】
スプール軸８の後端は、リール本体２内に設けられるスプール往復動装置に連結される。この場合、スプール往復動装置は、ハンドル軸５の歯車５ａと噛合する連動歯車５ｂと、連動歯車５ｂに設けられる偏芯突部５ｃと、スプール軸８の後端部に取り付けられるとともに偏芯突部５ｃと係合する案内溝９ａが形成された摺動子９とを有する公知の構成を備えており、ハンドル６が巻き取り操作されると、ドライブギヤ７からの回転運動を直線運動へと変換して、スプール４を前後動（往復動）させる。そのため、ハンドル６の巻き取り操作（回転操作）に伴う前述したロータ３の回転と相俟って、ベール１８により拾い上げられた図示しない釣糸がラインローラ１９を介してスプール４の釣糸巻回胴部４ａに均等に巻き付けられる。
【００２３】
また、特に図２〜図４に示されるように、アーム部３Ａは、円筒部３０の後端からスプール４のスカート部４ｂを超えて径方向外側に延びて更に前方へと延びる断面視略Ｌ字状のアーム本体部３１と、このアーム本体部３１の開口部を外側から覆うようアーム本体部３１に取着されてアーム部３Ａの外表面を形成するカバー部材３２とを備えている。また、アーム本体部３１とカバー部材３２との間には空間が形成されており、その空間内に反転機構４０のシャフト４１とガイド５０と復帰用当接部材６１とが収容されている。なお、本実施形態のカバー部材３２は、比較的薄肉で広い面を有する外装体として形成され、その裏側には反転機構４０の収容、糸絡み防止や意匠性を考慮して外形形状が設定されて予めデッドスペースが設けられる。
【００２４】
図３に示されるように、アーム本体部３１には、周端縁に沿って外壁３３が形成されている。また、アーム本体部３１の前端部には、円筒状の第１の軸部３４と、第１の軸部３４の外周側に配置されて互いに周方向に離間する第１の位置決め壁部３５及び第２の位置決め壁部３６とが形成されている。
【００２５】
第１の軸部３４は、ベール支持部材１２Ａの基部１３を回動自在に支持するための軸である。また、ベール支持部材１２Ａの基部１３は、第１の軸部３４内に螺合するボルトＢにより抜け止めされている（図１及び図２参照）。なお、前述したカバー部材３２は、アーム部３Ａとベール支持部材１２Ａとの連結部付近に生じる隙間を通じた釣糸の侵入を防止するために、第１の軸部３４（ボルトＢ）を上側から覆うように延びる延在部３ｅを有する（図２参照）。
【００２６】
第１の位置決め壁部３５及び第２の位置決め壁部３６は、ベール支持部材１２Ａの基部１３の外周面から突出する移動部１４に当接してベール支持部材１２Ａの回動を規制し、ベール１８（ベール支持部材１２Ａ）を所定位置に位置決めするためのものである。第１の位置決め壁部３５は、移動部１４に対して中心軸Ｏ１を中心とする左回り（反時計回り）方向に配置され、移動部１４が当接した場合にベール支持部材１２Ａ（１２Ｂ）が釣糸巻き取り位置（ベール１８が釣糸巻き取り姿勢）となるように形成されている（図３の（ａ）参照）。一方、第２の位置決め壁部３６は、移動部１４に対して中心軸Ｏ１を中心とする右回り（時計回り）方向に配置され、移動部１４が当接した場合にベール支持部材１２Ａ（１２Ｂ）が釣糸放出位置（ベール１８が釣糸放出姿勢）となるように形成されている（図４の（ａ）参照）。
【００２７】
反転機構４０は、ベール支持部材１２Ａ（１２Ｂ）が釣糸放出位置に位置された状態でハンドル６の巻き取り操作によってロータ３が回転されるときにベール支持部材１２Ａを反転させて釣糸巻き取り位置へと復帰させるための機構である。この反転機構４０は、第２の軸部５２を介してアーム本体部３１に揺動自在に取り付けられた筒状のガイド５０と、ベール支持部材１２Ａに一端部４１ｂが連結するシャフト４１と、ピンＰ（ネジ部材）によりアーム本体部３１の後端面３１ａに揺動自在に取り付けられた復帰用当接部材６１と、リール本体２の筒部２ａの外周面に設けられた復帰用衝接部６２（図１参照）とを備える。更に、反転機構４０は、ベール支持部材１２Ａ（１２Ｂ）を釣糸巻き取り位置と釣糸放出位置とに振り分け保持するための振り分けバネ（デッドポイントバネ）４２をベール支持部材１２Ｂとアーム部３Ｂとの間に備え（図１参照）、この振り分けバネ４２によってベール支持部材１２Ａ（１２Ｂ）（したがって、ベール１８）を釣糸巻き取り位置又は釣糸放出位置へと振り分け付勢保持する付勢機構を構成し得るようになっている。なお、振り分けバネ４２は、ベール支持部材１２Ａとアーム部３Ａとの間に設けられてもよく、収容スペース等を考慮していずれか一方側（ベール支持部材１２Ａ側又はベール支持部材１２Ｂ側）に配設される。
【００２８】
また、反転機構４０を構成する前述のガイド５０は、第２の軸部５２と一体に形成された立方体状の基部５１と、基部５１の一部から延びる略壁状の当接片５４とを備えており、基部５１に対して当接片５４がアーム本体部３１の基部側を向くように配置されている。
【００２９】
基部５１には、ガイド５０の長手方向（基部５１と当接片５４とが並ぶ方向）に延びる摺動孔５３が形成されている。そして、摺動孔５３にはシャフト４１の他端部４１ａが挿入され、それにより、ガイド５０がシャフト４１を軸方向に摺動自在に支持している。
【００３０】
当接片５４は、復帰用当接部材６１と当接（接触）するための片（薄板形状）であり、基部５１よりも揺動方向に肉薄化されている。ここで、ベール支持部材１２Ａ（基部１３）の回動中心軸Ｏ１とガイド５０（第２の軸部５２）の揺動中心軸Ｏ２とを結ぶ線を振り分け線Ｌ１と称する。
【００３１】
図３に示されるように、シャフト４１の一端部４１ｂは、ベール支持部材１２Ａの連結部１５に回動自在に連結されている。このため、ベール支持部材１２Ａが回動すると、シャフト４１の一端部４１ｂが中心軸Ｏ１を中心とする円に沿って周方向に移動し、シャフト４１と共にガイド５０も中心軸Ｏ２周りに揺動する。
【００３２】
具体的には、ベール支持部材１２Ａ（１２Ｂ）が釣糸巻き取り位置（図３参照）から釣糸放出位置（図４参照）へと移動されると、シャフト４１の一端部４１ｂが中心軸Ｏ１を中心に右回り方向（時計回り方向）に移動する（図３の矢印Ａ１を参照）とともに、ガイド５０が中心軸Ｏ２を中心に左回り方向（反時計回り方向）に揺動する（図３の矢印Ａ２を参照）。逆に、ベール支持部材１２Ａ（１２Ｂ）が釣糸放出位置（図４参照）から釣糸巻き取り位置（図３参照）へと移動されると、シャフト４１の一端部４１ｂが中心軸Ｏ１を中心に左回り方向（反時計回り方向）に移動する（図４の矢印Ｂ４を参照）とともに、ガイド５０が中心軸Ｏ２を中心に右回り方向（時計回り方向）に揺動する（図４の矢印Ｂ３を参照）。
【００３３】
ここで、ベール支持部材１２Ａ（１２Ｂ）を釣糸巻き取り位置と釣糸放出位置とに振り分け保持するための前述した振り分けバネ４２（図１参照）は、ベール支持部材１２Ａ（１２Ｂ）をその回動方向で常時付勢しており、そのため、図３に示されるようにシャフト４１の一端部４１ｂが振り分け線Ｌ１よりも右側に位置している場合、振り分けバネ４２は、ベール支持部材１２Ａの連結部１５を中心軸Ｏ１の左回り方向（反時計回り方向）に回動するように付勢し、ベール支持部材１２Ａ（１２Ｂ）を釣糸巻き取り位置に保持する。一方、図４に示されるように、シャフト４１の一端部４１ｂが振り分け線Ｌ１よりも左側に位置する場合、振り分けバネ４２は、ベール支持部材１２Ａの連結部１５を中心軸Ｏ１の右回り方向（時計回り方向）に回動するように付勢し、ベール支持部材１２Ａ（１２Ｂ）を釣糸放出位置に保持する。
【００３４】
また、図３及び図４に示されるように、反転機構４０を構成する復帰用当接部材６１には、ガイド５０の当接片５４の近傍まで延びるキック部６３と、ローラ６５を回転自在に支持する係止片６４とが形成されている。
【００３５】
復帰用当接部材６１は、ベール支持部材１２Ａ（１２Ｂ）が釣糸巻き取り位置にある場合、係止片６４が後方から視てアーム本体部３１の後端面３１ａと重なるように位置し、キック部６３がガイド５０の当接片５４の右側に位置している（図３参照）。このため、ベール支持部材１２Ａ（１２Ｂ）が釣糸巻き取り位置から釣糸放出位置に移動した場合、つまり、ガイド５０が中心軸Ｏ２を中心に左回り方向（反時計回り方向）に揺動した場合（図３の矢印Ａ２参照）、キック部６３が当接片５４の外面５４ｂにより右側へ押圧されて、復帰用当接部材６１が中心軸Ｏ３を中心に右回り（時計回り）に回動するようになっている。その結果、係止片６４がアーム本体部３１の外壁３３から突出する図示しない係止壁に当接し、更に係止片６４に支持されるローラ６５がリール本体２に近接して復帰用衝接部６２（図１参照）の軌道に進入する。
【００３６】
復帰用衝接部６２には、ローラ６５を次第に外側に押し出すような斜面が形成されているため、ハンドル６の巻き取り操作によりロータ３が巻き取り方向に回転すると、ローラ６５が復帰用衝接部６２の前記斜面に乗り上げて復帰用当接部材６１が中心軸Ｏ３を中心に左回り方向（反時計回り方向）に回動する。それにより、キック部６３が当接片５４の外面５４ｂと接触して当接片５４を押圧するため、ガイド５０が中心軸Ｏ２を中心に左回り（時計回り）に揺動し（図４の矢印Ｂ３参照）、ベール支持部材１２Ａが中心軸Ｏ１を中心に左回り方向（反時計回り）に回動する（図４の矢印Ｂ４参照）。その結果、シャフト４１の一端部４１ｂが振り分け線Ｌ１を超えて右側へ移動するため、振り分けバネ４２の付勢力により、ベール支持部材１２Ａが更に中心軸Ｏ１を中心に左回り方向（反時計回り）に回動して、ベール支持部材１２Ａ（１２Ｂ）が釣糸巻き取り位置（図３参照）へと移動する。
【００３７】
また、本実施形態に係る魚釣用スピニングリール１は、ベール支持部材１２Ａ（１２Ｂ）の回動によるベール１８の姿勢切り換えに伴って音を発生させる発音機構７０を更に備える。本実施形態において、この発音機構７０は、釣糸巻き取り位置と釣糸放出位置との間でのベール支持部材１２Ａ（１２Ｂ）の回動動作に連動する連動部材、すなわち、本実施形態ではシャフト４１と、前述のカバー部材３２との対向部間に設けられる。具体的には、本実施形態の発音機構７０は、カバー部材３２に設けられて弾性的に付勢される例えばピン状の発音体７２（図２参照）が連動部材としてのシャフト４１の係合部である外表面に対して弾発的に係脱されることによって音を発生させるようになっている。
【００３８】
より具体的には、発音体７２は、カバー部材３２の内面から突出する円筒状の収容部３２ａの収容孔３２ｂ内にその軸方向に沿って摺動可能に収容されており、収容孔３２ｂの内面に摺接する本体部７２ａと、本体部７２ａの一方の面からアーム本体部３１の内側へ向けて突出する係合突部７２ｂと、本体部７２ａの他方の面から収容孔３２ｂの軸方向に沿って延びる軸部７２ｃとから構成される。この場合、発音体７２（したがって収容部３２ａ）は、振り分けバネ４２によって規定される前述の振り分け線Ｌ１上又は振り分け線Ｌ１付近でシャフト４１（シャフト４１の前述した円弧状の移動経路）と対向するとともに、その軸部７２ｃの周囲に巻装されつつ本体部７２ａに一端が支持され且つ他端がカバー部材３２の内面上の支持突部３２ｃに支持される付勢バネ（コイルバネ）９０によってシャフト４１へ向けて突出する方向に常時付勢されている。そして、発音体７２は、そのような付勢バネ９０に伴う付勢力により、本体部７２ａがシャフト４１の外表面に常時当接されて、収容部３２ａからの抜けが防止されている。
【００３９】
このような構成の発音機構７０によれば、ベール支持部材１２Ａ（１２Ｂ）の回動によるベール１８の姿勢切り換えに伴ってシャフト４１が移動する度に、シャフト４１が発音体７２の係合突部７２ｂと係合して本体部７２ａを付勢バネ９０の付勢力に抗して収容孔３２ｂ内へ押し込み、係合突部７２ｂがシャフト４１を乗り越えて本体部７２ａが付勢バネ９０の付勢力によって再びシャフト側４１へ向けて押し戻される際に本体部７２ａがシャフト４１の外表面に衝突して音を発生させる。この場合、振り分けバネ４２のデッドポイントを超えてベール１８の位置が切り換わる際に音が発生されるように発音体７２の位置を設定することが好ましい。また、シャフト４１及び発音体７２を金属で形成すれば響効果が増すため、発音性が更に良好となることは言うまでもない。
【００４０】
以上説明したように、本実施形態の魚釣用スピニングリール１によれば、ベール１８の姿勢切り換えに伴って音を発生させる発音機構７０が設けられているため、ベール１８の姿勢切り換えを音によってリール使用者（釣人）に報知でき、したがって、リール使用者は、ベール１８を目視しなくてもベール１８の姿勢切り換えを確実に把握できる。また、本実施形態によれば、そのような発音機構７０がロータアーム部３Ａの外表面を形成するカバー部材３２とベール支持部材１２Ａ（１２Ｂ）の回動動作に連動するシャフト４１（連動部材）との対向部間に設けられるため、必然的に、発音機構７０がリールの内側空間内よりもリール外表面に近い部位に位置されるとともに、比較的薄肉で広い面を有する外装体を形成するカバー部材３２を通じて音をリール外部へと発することになるため、音がリール外部に響き易く、良好な発音状態を確保できる。また、カバー部材の裏側には本実施形態のように反転機構の収容、糸絡み防止や意匠性を考慮して外形形状が設定されて予めデッドスペースが設けられていることが多く、そのため、本実施形態によれば、そのようなデットスペースを有効活用して発音機構を設置することも可能になり、リールの大型化を招かないで済む（特に、ロータアーム部３Ａの小型化及び軽量化を図ることもできる）。
【００４１】
また、本実施形態において、発音機構７０は、弾性的に付勢される発音体７２がシャフト４１の係合部である外表面に対して弾発的に係脱されることによって音を発生させるようになっているため、弾発効果によって発音強度がより増大し、発音状態を更に良好にできる。この場合、発音体が比較的薄肉で広い面を有するカバー部材３２に設けられているため、振動し易いカバー部材３２の作用も相俟って音響効果が更に促進され、より優れた発音性を得ることができる。
【００４２】
なお、本実施形態においては、シャフト４１と発音体７２の本体部７２ａとの常時当接状態によりカバー部材３２側からの発音体７２の抜け防止を図るのではなく、カバー部材３２からの発音体７２の抜けを防止する抜け止め防止部を別個に設けることによりカバー部材３２と発音体７２とを一体化したユニットを構成すれば、アーム部３Ａに対するカバー部材３２の取着に伴って同時に発音体７２がアーム部３Ａに組み込まれることになるため、発音機構７０の組み込みが容易となり、ひいてはリール製造コストを低減することも可能になる。
【００４３】
図５は、発音機構の第１の変形例を示している。図示のように、この変形例に係る発音機構７０Ａは、反転機構４０を構成するガイド５０とカバー部材３２との対向部間に設けられている。具体的には、前述の実施形態と同様の構成を成す発音体７２がガイド５０の上面に形成された円筒状の収容孔５０ａ内に軸方向に沿って摺動可能に収容されている。この場合、収容孔５０ａは、カバー部材の内面と対向するように開口しており、付勢バネ９０によって発音体７２がカバー部材３２の内面へ向けて突出するように常時付勢される。ここで、カバー部材３２の内面には、ベール１８の前述した２つの姿勢への切り換えタイミングと合致する所定位置にそれぞれ、発音体７２の係合突部７２ｂと係脱可能に係合する係合溝（係合部）３２ｄａ，３２ｄｂが設けられている。また、発音体７２は、付勢バネ９０に伴う付勢力によって係合突部７２ｂが係合溝３２ｄａ，３２ｄｂを含むカバー部材３２の内面に常時当接されることにより、収容孔５０ａからの抜けが防止されている。
【００４４】
したがって、このような構成の発音機構７０Ａによれば、ベール支持部材１２Ａ（１２Ｂ）の回動によるベール１８の姿勢切り換えに伴ってガイド５０が揺動する度に、発音体７２の係合突部７２ｂがカバー部材３２の係合溝３２ｄａ，３２ｄｂ間で係脱して音を発生させる。したがって、前述した実施形態と同様の作用効果を得ることができる。なお、この変形例では、発音体７２がガイド５０に設けられているが、前述した実施形態のように発音体７２がカバー部材３２側に設けられていてもよい。その場合には、係合溝３２ｄａ，３２ｄｂがガイド５０側に設けられる。
【００４５】
図６の（ａ）は、発音機構の第２の変形例を示している。図示のように、この変形例に係る発音機構７０Ｂは、ベール支持部材１２Ａの基部１３の外周縁１３ａとこれに面するカバー部材３２の部位（延在部３ｅ付近）との対向部間に設けられている。具体的には、前述の実施形態と同様の構成を成す発音体７２がカバー部材３２に形成された円筒状の収容孔３２ｆ内に軸方向に沿って摺動可能に収容されている。この場合、収容孔３２ｆは、ベール支持部材１２Ａの基部１３の外周縁１３ａと対向するように開口しており、付勢バネ９０によって発音体７２がベール支持部材１２Ａの基部１３の外周縁１３ａへ向けて突出するように常時付勢される。ここで、ベール支持部材１２Ａの基部１３の外周縁１３ａには、ベール１８の前述した２つの姿勢のうちの少なくとも一方への切り換えタイミングと合致する所定位置に、本変形例ではベール１８の釣糸放出姿勢への切り換えタイミングと合致する所定位置に、発音体７２の係合突部７２ｂと係脱可能に係合する係合溝（係合部）１２Ａａが設けられている（勿論、ベール１８の前述した２つの姿勢への切り換えタイミングと合致する所定位置にそれぞれ係合溝が設けられてもよい）。また、発音体７２は、付勢バネ９０に伴う付勢力によって係合突部７２ｂが係合溝１２Ａａを含むベール支持部材１２Ａの基部１３の外周縁１３ａに常時当接されることにより、収容孔３２ｆからの抜けが防止されている。
【００４６】
したがって、このような構成の発音機構７０Ｂによれば、ベール１８の姿勢切り換えに伴ってベール支持部材１２Ａ自体（連動部材）が回動する度に、発音体７２の係合突部７２ｂがベール支持部材１２Ａの基部１３の係合溝１２Ａａに対して係脱して音を発生させる。したがって、前述した実施形態と同様の作用効果を得ることができる。なお、この変形例では、発音体７２がカバー部材３２に設けられているが、発音体７２がベール支持部材１２Ａの基部１３の外周縁１３ａに設けられていてもよい。その場合には、発音体７２の係合突部７２ｂと係合する係合溝がカバー部材３２側に設けられる。
【００４７】
図６の（ｂ）は、発音機構の第３の変形例を示している。図示のように、この変形例に係る発音機構７０Ｂ’は、第２の変形例と同様にベール支持部材１２Ａの基部１３の外周縁１３ａとこれに面するカバー部材３２の部位（延在部３ｅ付近）との対向部間に設けられており、発音体の形態が第２の変形例と異なっているにすぎない。すなわち、この変形例に係る発音体７８は、一対の脚部７８ｂと係合突部を伴う弾性拡縮体７８ａとから成る弾性部材（板バネ）によって形成されており、カバー部材３２の内側へ向かって先細るテーパ状の内壁を有する収容孔３２ｇ内に一対の脚部７８がその拡径しようとする弾発力に抗して収容されることにより弾性拡縮体７８ａが弾性的に拡縮し得る（したがって、ベール支持部材１２Ａの基部１３の外周縁１３ａへ向けて弾性拡縮体７８ａの係合突部を常時付勢し得る）ようにしている。そのため、このような発音体７８によっても第２の変形例の発音体７２と同様な発音作用をもたらすことができる。
【００４８】
図７は、発音機構の第４の変形例を示している。図示のように、この変形例に係る発音機構７０Ｃは、前述した実施形態と同様にシャフト４１とカバー部材３２との対向部間に設けられる。すなわち、本実施形態の発音機構７０Ｃも、カバー部材３２に設けられて弾性的に付勢される発音体８２が連動部材としてのシャフト４１の係合部である外表面に対して弾発的に係脱されることによって音を発生させるようになっている。
【００４９】
具体的には、発音体８２は、カバー部材３２の内面から突出する円筒状の収容部３２ａの収容孔３２ｂ内にその軸方向に沿って摺動可能に収容されており、収容孔３２ｂの内面に摺接する本体部８２ｂと、本体部７２ａの一方の面からアーム本体部３１の内側へ向けて突出する係合突部８２ａとから構成される。この場合も、発音体８２（したがって収容部３２ａ）は、振り分けバネ４２によって規定される前述の振り分け線Ｌ１上又は振り分け線Ｌ１付近でシャフト４１（シャフト４１の前述した円弧状の移動経路）と対向するとともに、本体部８２ｂの支持孔８２ｂａに一端が支持され且つ他端がカバー部材３２の内面上の支持突部３２ｃに支持される付勢バネ（コイルバネ）９０によってシャフト４１へ向けて突出する方向に常時付勢されている。そして、発音体８２は、そのような付勢バネ９０に伴う付勢力により、本体部７２ａがシャフト４１の外表面に常時当接されて、収容部３２ａからの抜けが防止されている。
【００５０】
また、特に本変形例に係る発音体８２では、その係合突部８２ａが発音体８２の中心軸Ｏに対して偏心して位置されている。ここで、発音体８２が前述した実施形態の発音体７２のように円形断面を成していると、発音体８２がその摺動時に収容部３２ａ内で回転する場合もあり、その場合には、偏心した係合突部８２ａのシャフト４１との係合位置が変化してしまう（したがって、発音タイミングがずれる或いは発音しない）といった事態が生じる可能性がある。そのため、本変形例では、発音体８２がその摺動時に収容部３２ａ内で回転しないように、発音体８２が非円形断面を成す異形状に形成されて収容部３２ａ内に回り止め嵌合されている。
【００５１】
このような構成の発音機構７０Ｃによれば、前述した実施形態の発音機構７０と同様の作用効果を得ることができるとともに、デットポイント（振り分け線Ｌ１）を超えた発音タイミングの設定を行ないつつ発音体８２自体の小径化（小型化）も実現できる。これは、発音体の中心軸上に係合突部を形成すると、その設置スペースによっては発音体を大径化せざるを得なくなる（したがって、アーム部の大型化を招く）場合があるが、係合突部を発音体の中心軸に対して偏心させると、設置スペースの制約に伴って係合突部の位置を任意に設定できるため、設計の自由度が増し、発音体の小型化を可能にし得るからである。したがって、シャフト４１とカバー部材３２との対向部間だけではなく、前述した第１乃至第３の変形例のようにカバー部材３２とガイド５０又はベール支持部材１２Ａの基部１３との対向部間に発音体を設置しても、限られたスペース内に発音体をその機能に支障なく配設できる。
【００５２】
なお、本発明は、前述した実施形態に限定されず、その要旨を逸脱しない範囲で種々変形して実施できる。例えば、前述した実施形態及び変形例では、発音体が係合突部を有する付勢されたピン状のもの又は板バネによって形成されているが、発音体の形態は任意に設定できる。また、前述した実施形態及び変形例では、連動部材としてシャフト、ガイド、及び、ベール支持部材が挙げられているが、ベールの姿勢切り換えに伴って連動する他の連動部材とカバー部材との間に発音体が設けられていても構わない。
【符号の説明】
【００５３】
１  魚釣用スピニングリール
２  リール本体
３  ロータ
３Ａ，３Ｂ  アーム部
４  スプール
６  ハンドル
１２Ａ，１２Ｂ  ベール支持部材（連動部材）
１２Ａａ  係合溝（係合部）
１８  ベール
３２ｄａ，３２ｄｂ  係合溝（係合部）
４０  反転機構
４１  シャフト（連動部材）
５０  ガイド（連動部材）
７０，７０Ａ，７０Ｂ，７０Ｂ’，７０Ｃ  発音機構
７２，８２  発音体
【図１】
2020028268.tif 000003
【図２】
2020028268.tif 000004
【図３】
2020028268.tif 000005
【図４】
2020028268.tif 000006
【図５】
2020028268.tif 000007
【図６】
2020028268.tif 000008
【図７】
2020028268.tif 000009